(57)【要約】【課題】天災、人災に対して、防災関係諸氏が身を投げうって貢献する姿にはまことに感謝にたえない思いで一杯です。世の発展と共に公害をも生み出し、果ては成層圏を犯し、故に天災、人災も予想のつかない防災を必要とする時代になっている。現況では、災害対策・災害地での応急処置等、労力や時間を要するのが現状である。敏速なる対応と短期間仮復旧等が最大のテーマであり、課題である。あらゆる天災・人災に対して、敏速に適用する目的の構築物を耐圧・気密のホースと特殊多種多様の耐圧・気密の接続金具で組立て、その中に任意の圧力の液体（主に水）や気体（空気、窒素、ヘリウム、水素ガス等）を圧入し、目的の構築物を構築し、発生する天災・人災による災害から生命・財産・資産を守り、又復興のために、短期・長期に役立ち、１日も早く災難を乗り越え再建を計る。又、目的を果たした後は、容易に組立・分解が出来、再使用のために処理・整理準備が出来る圧力構築物装置の特許である。主に短期に目的の構築物を完成する様に配慮したものであるが、これらのホースの耐圧・気圧を連続して運用、使用ができるので、長期に使用することも可能である。（主な構築物）堤防、防波堤、暴風堤、防火壁、雪崩防止壁、防雪屋根、防雪フェンス、動物フェンス、火防フェンス、避難梯子、避難スロープ、工場ハウス、プール、ハウス、水槽、集会場、橋、道路、水道、水路、川、野営ハウス、農業ハウス、酸素ハウス、気体ハウス、アクアハウス、ツンドラ、酸素カプセル、ガードレール、ガード壁、診療所、避難所、臨時小屋、長椅子、多人数ベッド等、消防関係は勿論である。【解決手段】消防ホースや高圧ホースを多種多様の圧力構築物に設計製作出来る新分野の高圧技術であ2009019480.tif 000012で、予め準備された又は、緊急体制に応ずる目的構築物を構築できることこそが解決手段である。構築された目的物のホース、接続金具内に液体・気体を任意の圧力で圧入・循環、更に流体温度を調整することも出来、使用範囲も多様で冷暖房温室効果、農業温室効果や凍結融雪解凍効果が期待出来る。圧力ホースと接続取付金具で形造った外側を鉄筋やコンクリートで堅め、更に内側の圧力を抜きコンクリートを挿入して固め、又、鉄骨もハメ込み式、ネジ式、溶接も可能で、堅固な構築物を建設する事も出来る。耐圧・気密のホース又特殊接続金具類の口径・材質も目的構築物に適したホースを選定し、短期・長期に耐えられるものが作製できる。又、場合によっては、土木工事やダム工事用のホースとして使用することも可能である。消防ホースや多種のホースに流体を圧送し、長さや口径を目的構築物に合致する形態に接続し、目的構築物を早急に組み立てて目的を果たすことの出来る特許であり、又必須時に緊急脱出、救出に、又水の上に所要のホースを浮かべて橋梁として容易に目的を達成出来る。又回収、収納も容易な画期的圧力ホースとなり圧力、（気圧・液圧）を充分に効用として使用できる発明であり、解決手段である。【選択図】図５
2009019480.tif 000002
【特許請求の範囲】
【請求項１】
あらゆる天災・人災に対して、敏速に適用する目的の構築物を耐圧・気密のホースと特殊多種多様の耐圧・気密の接続金具で組立て、その中に任意の圧力の液体（主に水）や気体（空気、窒素、ヘリウム、水素ガス等）を圧入し、目的の構築物を構築し、発生する天災・人災による災害から生命・財産・資産を守り、又復興のために、短期・長期に役立ち、１日も早く災難を乗り越え再建を計る。又、目的を果たした後は、容易に組立・分解が出来、再使用のために処理・整理準備が出来る圧力構築物装置の特許である。
主に短期に目的の構築物を完成する様に配慮したものであるが、これらのホースの耐圧・気密を連続して調整できるので、長期に使用することも出来る。
（主な構築物）
堤防、防波堤、暴風堤、防火壁、雪崩防止壁、防雪屋根、防雪フェンス、動物フェンス、火防フェンス、避難梯子、避難スロープ、工場ハウス、プール、ハウス、水槽、集会場、橋、道路、水道、水路、川、野営ハウス、農業ハウス、気体ハウス、アクアハウス、ツンドラ、酸素カプセル、ガードレール、ガード壁、診療所、避難所、臨時小屋、長椅子、多人数ベッド
【請求項２】
構築された目的物のホース、接続金具内に液体・気体を任意の圧力で圧入・循環し、更に流体温度を調整することで使用範囲も多様にでき、暖冷房温室効果、農業温室効果や凍結融雪解凍効果が期待出来る特許。
【請求項３】
圧力ホースと接続取付金具で形造った外側を鉄筋やコンクリートで固め、更に内側に鉄骨やコンクリートを挿入して固め、又、鉄骨もハメ込み式、ネジ式、溶接も可能で、堅固な構築物を建設する事も出来る特許。
【請求項４】
耐圧・気密のホース又特殊接続金具類の口径・材質も目的構築物に適したものを選定し、短期・長期に耐えられるものが作製出来る。又、場合によっては、土木工事やダム工事用のホースを併用することも可能である。
【請求項５】
消防ホースや多種のホースに圧力を送圧し、長さや口径を目的構築物に合致する形態に接続し、目的構築物を早急に組み立てて目的を果たす特許であり、又必須時に緊急脱出、救出に、又水の上に浮かべて橋梁として容易に目的を達成する。又回収、収納も容易な画期的圧力ホースと圧力（気圧・液圧）を充分に効用出来る発明であり、特許である。（図−２９、図−３０、図−３１）
１．緊急非常時梯子（特急参上圧力梯子と緊急非常時脱出シート）
（図−２９、図−３０）
２．緊急橋梁（図−３１）
【請求項６】
構築物の場合、目的仕様によってホース接続金具が選定され、耐圧・気密ホースと特殊多種多様に設計製作された接続金具でセットされ、目的構築物のホース内に流体圧力の設定そして保持、継続、循環が行われる事で目的物を保持することの出来る特許である。又消防ホースの定尺の２０ｍを利用したり、又、土木用ホース定尺１００ｍやハイドロリックホースの高液圧ホース組込み利用することもでき、又目的構築物に合致した耐圧・気密のホースの長さ、径を特殊接続金具で多くの目的構築物が構築出来る特許である。
【請求項７】
構築物のほとんどがホースと接続金具で構築されているので、内部には気体や液体を圧入し、設定圧を任意に一定して使用することが出来る。又、流体を任意の温度に流入し構築内の温度を調整出来る特許である。
【請求項８】
内装・外装・防備にはそれぞれに目的構築物の材質が選定される。消防関係では無煙・無燃に近い材質が選ばれ、火や水に対して丈夫である事が準備される。仮堤防用（ホース多重式）には、ホースと同様に布張、テイセンリネン、リネトロン、ポリエステル、王冠帆布、ノーメックス、グラブハードマン、ポリウレタン等の強力で軽量な合成樹脂性のもの、ハウスの外側には透明強化ガラス、合成樹脂を、又橋桁用浮き桁には強力なポリウレタンその他の目的適合材質が選ばれる。
【請求項９】
１．自締式ホースと締付金具（材質＝金具又は高質カーボン材）
ホースの結合金具との取付は、ホース先端部の自締式構造として耐圧力構造とし、又ホースに締付金具をセットして置く事により、結合金具との取付が容易に出来る。ホースの両端に取付ける結合金具は、一方はメス型もう一方はオス型とする。又、構築物に適した接続金具を選定することが出来る。（図−１、図−２、図−１２参照）
２．シールリングの形状および材質
使用流体（液体・気体）のシールはＯ型、Ｕ型、Ｖ型など色々な形状があるが、総じてＯ・リングが多く使用されている。材質はブチル、シリコーン、バイトン、ＥＰ、ニトリルゴム、ＮＢＲ、ＥＰＤＭなどの他、流体仕様に合った材質が選定される。（図−１、２参照）
３．部材製作上の留意点
Ｏ・リングに触れる機器先端、角部はＯ・リングの破損のない様に触れる所はＲをつける。又、ツメに触れる開閉操作の先端部はＲテーパーに仕上げる。
ホース先端の形状は球形状の丸味をつけて内側からの圧力作用による自締式の効果を上げ、シール性を強化する特許である。（図−１、２参照）
４．ホースの接続
１）コーナー接続金具は構築物の骨組となる各種コーナー部の接続方式を全てオス型の接続金具に統一している。（図−３〜図−８参照）
２）開閉操作リングは、オス型接続部にセットされ、接続や取り外し等に重要な操作ハンドル金具である。構造上の関係で二つの部品から構成されており、取り付け手順によってセットされる。（図−９参照）
３）媒介接手は接続部がオス型とオス型の様に同型の場合に使用されるものでメス・メス型によってスムーズに接続する事が出来る。（図−１０参照）
４）コーナー間の接続要領
構築物の大きさ等によって、結合金具付きのホースを接続しながらコーナー間の骨組をセットするが結合金具の型式に応じて媒介接手等を用いて接続する。（図−１１，１２参照）
【請求項１０】
２００６年１０月５日ＮＨＫ発表（国土交通省）の危険堤防が日本全国の１／３が決壊危険堤防（砂利と砂）との話であった。顧みるに、主に土のうの積み重ねによる緊急時対策のため大変な仕事であり時間も要し、困難な事である。地球温暖化の進む現在では更に困難が予想される。
「ホース多重式前垂れ防御堤」は堤防の強化とオーバーフローや決壊等の緊急時に於ける一時的な対策法である。更にこの防御堤は堤防上に設置し、川底に向かって前垂れシート（多種）を降し、堤防底部に枕打ちして固定設置し、増水時の堤防への水の浸水を防ぎ、又、水圧を逆利用して前垂れシートが防御堤に密着することで安定を促し、増水を防御し、決壊を防御するための特許である。（図−１３、１４、１５、１６、１７）
【請求項１１】
ホースを接続金具で接続し、目的の形状の構築物を作り、その上にポリウレタン布やホース材、テイセンリネン、リネトロン、エレクティ、ノーメックス、クラブハードマンなどカバーしてウォーターフェンス、動物侵入防止フェンス、プールや水槽は水圧に耐えられる要に角や水底の角は全てＲに、そして耐圧厚に設計されている構築物特許である。（図−１８、１９、２０、２１、２２、２３、２４参照）
【請求項１２】
ホース内圧の任意設定供給保持装置
１．自動水液圧供給装置
常に目的構築物のホース内圧について任意の設定圧力として供給保持する装置で、目的構築物に必要な水液は予め貯水槽に準備貯水され、必要時に圧縮ポンプとＡＰＣ（自動定圧定量調整器）により任意の圧力により供給され、末端の保圧調整器（ＡＲＶ）に保持される。又、余分な圧力水液は水槽に戻され循環使用される。又、大量の液体が必須の場合は、河川、湖水等を利用しポンプ供給し保圧弁で一定圧に保持され余圧は吐水することが出来る温調装置付きの特許装置である。（図−２５参照）
２．自動気体圧力供給装置
高圧ボンベ、圧力ボンベカードル、高圧コンプレッサー等にＡＰＣ（自動定圧定量調整器）を装備し、必要時に弁を開きＡＰＣにより任意の設定圧力を構築物ホースに供給し、目的構築物ホースの末端には保圧調整器（ＡＲＶ＝精密安全弁）を装備し、任意圧力を保持する。何らかの原因で内圧が設定圧力以下に減圧した場合には瞬時にＡＰＣが作動して圧力が自動供給され、常に一定圧力に保持される温調装置付特許装置である。（図−２６参照）
３．水圧ダンパー
水圧ダンパー（液圧容器）に予め液体（水）等を必要量入れ、その上にガス圧を任意の圧力で保持し、構築物のホース内圧が減圧した場合、瞬時に自動供給し、常に一定圧力を保持する装置である。（図−２７参照）
【請求項１３】
圧力ホース屋根（気体屋根）
消防ホースや工事用ホース又はゴムホースを任意の長さにして、空気、Ｎ２、Ｈｅ、Ｈ２ガスを任意の圧力を圧入して屋根形態を作り、それらを並列し傾斜をつけて雨や雪を場外に流し、強風に煽られた場合でも自動的に延び間隔が出来、煽りを逃すことが出来、安定した圧力屋根である。（図−２８参照）
【請求項１４】
緊急標示バルーン（ＳＯＳ風船）
遭難、事故等に携帯用又は設置用として常備し、遭難事故発生時に即座にＳＯＳ風船を天高く浮上させて場所等を明確に告知するものである。浮上にはボンベからバルーン（フロート風体）にＨｅ、Ｈ２等の分子量の小さい圧力気体を注入し、空中に浮上させてＳＯＳを求めるものである。又、電波発信機を装着する事も出来、スピーディーな発見が可能となる。バルーンは強靱な糸ひもやロープなどで繋ぎ、ひも先端は人体や固定物につぎとめて置く特許である。
１．設置用ＳＯＳバルーン
ボンベからバルーンへ直接ガスを注入し、舞上げる。
ボンベ４６リットル×４ｍ３×１４．７（ＭＰａ）＝Ｈｅボンベ
Ｈｅボンベ  １４．７ＭＰａ×４６リットル×７ｍ３
2009019480.tif 000003
Ｖ＝０．５２４ｄ３  ｄ＝直径
2009019480.tif 000004
大型ボンベ４６リットル＝０．０４６ｍ３  →  ７ｍ３になるには１５２倍になる
2009019480.tif 000005
２．携帯用ＳＯＳバルーン
燦々カバーからＳＯＳバルーンを取り出し、下部から強靱な糸ひもを身体に巻き付けるか、又は近くの固定できる所に繋ぎ止め（ひも延長１００ｍ）、緊急時に取り外し用押さえ金具を引き取り外し、ハンドル（矢印方向）を右回転するとノズルニードルは圧力シールゴムを突き破り高圧ガス部に入ると同時にＨｅ又はＨ２ガスがノズルニードルを通過してＳＯＳバルーンに圧入され気球となり天空に舞い上がり、燦々カバーは燦々と輝き蛍光塗料の気球からも電波を発信し、緊急に所在地を告知する特許である。（図−３２参照）
ｅｘ）ボンベ１０００ｃｃ×０．６５９ｍ３×１４．７（ＭＰａ）
▲１▼ボンベ容量１リットル＝０．００１ｍ３×１５０気圧＝０．１５０ｍ３
2009019480.tif 000006
・指定浮力Ｕ＝１０３８ｇ／ｍ３×０．１５０＝１５５ｇ
▲２▼ボンベ容量２リット＝０．００２ｍ３×１５０気圧＝０．３００ｍ３
2009019480.tif 000007
・指定浮力Ｕ＝１０３８ｇ／ｍ３×０．３００＝３１１ｇ
ボンベ内気圧１５０ｋｇ／ｃｍ２
2009019480.tif 000008
体積Ｖ＝０．５２４・ｄ３
2009019480.tif 000009
▲３▼直径１．０ｍの球体にするためには
・Ｖ＝０．５２４×１．０３＝０．５２４ｍ３
2009019480.tif 000010
・指定浮力Ｕ＝１０３８ｇ／ｍ３×０．５２４＝５４４ｇ
▲４▼直径０．９ｍの球体にするためには
・Ｖ＝０．５２４×０．９３＝０．３８２ｍ３
2009019480.tif 000011
・指定浮力Ｕ＝１０３８ｇ／ｍ３×０．３８２＝３９６ｇ
【発明の詳細な説明】
圧力ホースを充分に活用出来る様に高圧ホースの先端金具と多種多様の目的構築物を容易に構築するため、発明接続金具を利用して水圧力や気体圧力をホースに圧送することで短時間に目的の構築物が用達出来、又圧力ホース屋根式の気体屋根においても所定の気圧を投入し、設置して日除け、雨除け、雪除けする特許圧力構築物装置である。
【技術分野】
【０００１】圧力ホースは殆ど消防ホースが使用され、消防ポンプで高圧水を生み出し、消火に役立てられている。最近では技術面で、より高圧に、より径が大きくなり、さらにホースも高圧に耐えられるように技術開発工夫されて消火に役立てられているのが現状です。この水圧技術を気体（空気、Ｎ２、Ｈ２、Ｈｅガス等）にも利用出来、寸法や多種の接続金具により多目的の圧力構築物として完成された新しい技術分野であり、圧力構築物の新分野を切り開いた高圧技術である。
【背景技術】
【０００２】従来は圧力ホースを利用して構築物を作ることは殆ど無いに等しい。【０００３】高圧技術を専門として数多くの特許を取得し、これらの技術を一般的なホース技術に加味した特許圧力構築物装置として世に寄与する技術である。
【発明の開示】
【発明が解決しようとしている課題】
【０００４】天災、人災に対して高圧技術を生かし、早急に目的構築物を構築し、災害を乗り越え再建を計ることに役立てる。その目的のために容易に組立・分解・収納が出来、更に長期的に連続使用出来、且つ、軽量で運搬が容易に出来る。又、再度目的時には水圧力、気体圧力を使用し、目的構築物を構築し、用達する等で充分に目的を発揮する特許である。
【課題を解決する手段】
【０００５】消防用ホースや圧力ホースを更に高圧耐久性にし、多種多様な仕様に合致した径と長さに設計製作し、特許接続金具で思考される新たな目的構築物を次々と世に送り出し、圧力ホースの役立てを生み出し、世の大難を小難にし、社会に寄与出来る「圧力構築物装置」特許であり、解決する手段である。
【実施例】高圧システムの流体使用技術では、ステンレスパイプや銅パイプ、高圧チューブタイプなど細い高圧パイプのワンタッチ方式などがある。高圧ホースは通常巻き込み、たたみ込みで準備され、使用時には短時間で用達でき、消火活動等に大いに使われている。更に、特許接続金具でホースを接続し、骨組みを形成し水圧や空気圧又は不活性ガスを投入して目的の構築物を完成する特許である。
【発明の効果】
天災、災難に対して最も重要であると考えられるのは、「敏速に対応」することが最大のテーマであり、それには圧力を応用適用する事こそ発明の意義であり、敏速対応こそ最大の効果を生み出し、発明の効果である。
【産業上の利用可能性】地球温暖化による影響で、天変異変は避けられない状況の中、産業界は勿論のこと社会全体に対して少しでもこれらの異変に対して笠となり防御となり、短時間、短期間の屋根となり、又産業の育成のため、農業ハウスやドーム、運動場のフェンスやドーム、更には災害復旧に対応しての橋、堤防の構築その他災害防備に役立ち産業界に寄与できる特許である。
【図面の簡単な説明】
【０００６】
【図１】メス型結合金具（自締式ホースと締付金具方式）
【図２】オス型結合金具（自締式ホースと締付金具方式）
【図３】コーナー部接続金具（オス型）開閉操作リング二ツ割型
【図４】コーナー継手の形態  基本形
【図５】継手の組合せ（その１）
【図６】継手の組合せ（その２）
【図７】継手要領図（その１）
【図８】継手要領図（その２）
【図９】開閉操作リング二ツ割型
【図１０】（メス）×（メス）型媒介接手
【図１１】コーナー間の接続要領
【図１２】ホース両端の結合金具
【図１３】ホース多重型前垂れ式（三角多重式）防御堤
【図１４】ホース多重型前垂れ式（四角多重式）防御堤
【図１５】ホース保持板（ガイド板）
【図１６】三角多重式ガイド板
【図１７】四角多重式ガイド板
【図１８】ウォーターフェンス（原油漏れの拡大防止）
【図１９】ポリウレタン布カバー
【図２０】動物侵入防止フェンス
【図２１】プール水槽（骨組）
【図２２】プール水槽（ウレタンカバー）
【図２３】防火壁（骨組）
【図２４】防火壁（金属鏡面）
【図２５】液圧供給装置
【図２６】気体圧力供給装置
【図２７】簡易液圧装置・水圧ダンパー
【図２８】圧力ホース屋根と壁
【図２９】緊急非常時梯子及び脱出シート
【図３０】緊急梯子
【図３１】緊急用橋梁
【図３２】携帯用ＳＯＳバルーン
【図１】
2009019480.tif 000013
【図２】
2009019480.tif 000014
【図３】
2009019480.tif 000015
【図４】
2009019480.tif 000016
【図５】
2009019480.tif 000017
【図６】
2009019480.tif 000018
【図７】
2009019480.tif 000019
【図８】
2009019480.tif 000020
【図９】
2009019480.tif 000021
【図１０】
2009019480.tif 000022
【図１１】
2009019480.tif 000023
【図１２】
2009019480.tif 000024
【図１３】
2009019480.tif 000025
【図１４】
2009019480.tif 000026
【図１５】
2009019480.tif 000027
【図１６】
2009019480.tif 000028
【図１７】
2009019480.tif 000029
【図１８】
2009019480.tif 000030
【図１９】
2009019480.tif 000031
【図２０】
2009019480.tif 000032
【図２１】
2009019480.tif 000033
【図２２】
2009019480.tif 000034
【図２３】
2009019480.tif 000035
【図２４】
2009019480.tif 000036
【図２５】
2009019480.tif 000037
【図２６】
2009019480.tif 000038
【図２７】
2009019480.tif 000039
【図２８】
2009019480.tif 000040
【図２９】
2009019480.tif 000041
【図３０】
2009019480.tif 000042
【図３１】
2009019480.tif 000043
【図３２】
2009019480.tif 000044
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
結合金具
消防ホースを継いで延長するためにホース先端には特殊なホース結合用の金具が取り付けられている。この結合金具は、ホースを継いで延長するための接続に関して重要な役割をしている。本発明では、この結合金具のホースと金具の結合方法を水圧、液圧のみならず、気圧に対しても充分耐え容易に結合出来、敏速に取り外しや交換が可能なように開発したもので、そのポイントは３つあります。その１は自締式ホース、その２は締付金具、その３はＯリングの設置による気密性の増大化等で従来にない画期的な特許結合金具である（図１、２参照）。
【請求項２】
自締式ホース
ホース先端に丸味をつけて結合金具に取付けるものであり、丸味をつけたのは、結合金具本体と締付金具の間にセットされるホースの引抜力に対しての抵抗力を高めるためのものである。丸味はホース先端およそ長さ２〜３ｃｍを６〜８等分に切り込みを入れて分割し、その切り込みの根本に金属リング（ステンレス、金、銀、その他）を巻き込み、切り込んだ部分を折りたたむ様にしてしっかりと工業用ミシン掛けし、更にその表面に合成リングゴムをかぶせて、締付金具との密着度を高めると共に流体リーク防止のために締付金具とホースの接触面にＯリングゴムを溝にはめ込み、より一層の一体化を成している特許自締式ホースである（図１、２、９参照）。
【請求項３】
締付金具（ローレット締め）
締付金具は、丸味付きのホースをセットした後、結合金具本体にネジ方式でセットし最後に締付金具をしっかりとローレット締めしセットビスで固定する。従来はホースを直接結合金具にセットし表面をワイヤーでくくり付ける方式であったが、締付金具の発明により取り外しや交換等が容易であり、画期的な特許締付金具である（図１、２参照）。
【請求項４】
Ｏリングの設置
締付金具に設置したホースを金具のネジにより結合金具本体に取り付けるので、気体等に対する気密性が要求される。そこで、ホースと締付金具面、締付金具と結合金具本体の接触面に各々Ｏリングを設置することにより気密性を増す特許Ｏリングの設置である（図１、２参照）。
【請求項５】
オス型結合金具の開閉操作リング
ホースを結合している結合金具にはホースの接続のためにオス型とメス型の接続形式がある。メス型は受け型、オス型は差し込型の形式であり、接続をはずす場合にはオス型に取り外し用の金具が設置されている。本発明では請求項１〜３に伴って発明したもので、開閉リングと操作リングで構成される。構造と取り付け法の関連から、開閉リングは２分割して結合金具をはさみ込むようにセットし、さらに操作リングとのネジ構造により一体化しセットビスで固定する特許開閉操作リングである（図３参照）。
【請求項６】
コーナー部接続金具
各種構築物を消防用ホースを骨組みとして構築する場合に、必ずコーナー部による接続が必要となる。このために発明した特殊なコーナー部でオス型の接続形式であり、オス型の結合金具を球状のコーナー体に取り付けた画期的な特許接続金具である（図４参照）。
【請求項７】
防御堤
日本の河川の堤防は決壌の危険にさらされているのが１／３もあると言われている。改修や整備のない所では、常に防御の必要な状態にあるので、何らかの対策が必要である。そこで応急的処置として考案したのが防御堤である。消防用ホースや［請求項６］で記述したコーナー接手等を利用した簡易堤体と堤防法面保護用シートによる応急的特許防御堤である（図７、８参照）。
【手続補正２】
【補正対象書類名】明細書
【補正対象項目名】全文
【補正方法】変更
【補正の内容】
【発明の詳細な説明】
【技術分野】
【０００１】圧力ホースは殆ど消防ホースとして使用され、高性能消防ポンプの高圧水として消火に役立てられて来た。このホースを継ぎ接続するためのホース結合金具を、より一層安全で使い易くし、消防用の他に多種多様に使用出来るようあらゆる流体即ち、水体、液体、気体（空気・窒素・水素・ヘリウム・他ガス等）にも対応できる圧力ホースとし、長さ・径も多目的な圧力構築物用として使えるような多種多様のホース接続用結合金具として完成された新技術分野であり、特許技術である。
【背景技術】
【０００２】従来は圧力ホースを利用して構築物を作ることは殆ど無いに等しい。【０００３】高圧技術を専門として数多くの特許を取得し、これらの技術を一般的なホース技術に加味した特許圧力構築物装置として世に寄与する技術である。
【発明の開示】
【発明が解決しようとしている課題】
【０００４】天災、人災に対して高圧技術を生かし、早急に目的構築物を構築し、災害を乗り越え再建を計ることに役立てる。その目的のために容易に組立・分解・収納が出来、更に長期的に連続使用出来、且つ、軽量で運搬が容易に出来る。又、再度目的時には水圧力、気体圧力を使用し、目的構築物を構築し、用達する等で充分に目的を発揮する特許である。
【課題を解決する手段】
【０００５】消防用ホースや圧力ホースを更に高圧耐久性にし、多種多様な仕様に合致した径と長さに設計製作し、特許接続金具で思考される新たな目的構築物を次々と世に送り出し、圧力ホースの役立てを生み出し、世の大難を小難にし、社会に寄与出来る「圧力構築物装置」特許であり、解決する手段である。
【実施例】高圧システムの流体使用技術では、ステンレスパイプや銅パイプ、高圧チューブタイプなど細い高圧パイプのワンタッチ方式などがある。高圧ホースは通常巻き込み、たたみ込みで準備され、使用時には短時間で用達でき、消火活動等に大いに使われている。更に、特許接続金具でホースを接続し、骨組みを形成し水圧や空気圧又は不活性ガスを投入して目的の構築物を完成する特許である。
【発明の効果】
天災、災難に対して最も重要であると考えられるのは、「敏速に対応」することが最大のテーマであり、それには圧力を応用適用する事こそ発明の意義であり、敏速対応こそ最大の効果を生み出し、発明の効果である。
【産業上の利用可能性】地球温暖化による影響で、天変異変は避けられない状況の中、産業界は勿論のこと社会全体に対して少しでもこれらの異変に対して笠となり防御となり、短時間、短期間の屋根となり、又産業の育成のため、農業ハウスやドーム、運動場のフェンスやドーム、更には災害復旧に対しての橋、堤防の構築その他災害防備に役立ち産業界に寄与できる特許である。
【図面の簡単な説明】
【０００６】
【図１】メス型結合金具（自締式ホースと締付金具方式）
【図２】オス型結合金具（自締式ホースと締付金具方式）
【図３】開閉操作リング（二ツ割型）
【図４】コーナー部接続金具（オス型）
【図５】メス型とオス型の接続状況（接続例その１）
【図６】（メス）×（メス）型媒介触手（接続例その２）
【図７】ホース多重型前垂れ式防御堤（四角多重式）（その１）
【図８】ホース多重型前垂れ式防御堤（四角多重式）（その２）
【図９】自締式ホース先端加工図
【手続補正３】
【補正対象書類名】図面
【補正対象項目名】全図
【補正方法】変更
【補正の内容】
【図１】
2009019480.tif 000045
【図２】
2009019480.tif 000046
【図３】
2009019480.tif 000047
【図４】
2009019480.tif 000048
【図５】
2009019480.tif 000049
【図６】
2009019480.tif 000050
【図７】
2009019480.tif 000051
【図８】
2009019480.tif 000052
【図９】
2009019480.tif 000053